(57)【特許請求の範囲】
【請求項１】
シャッタ地板と補助地板との間を中間板で仕切って構成した二つの羽根室内に個別に配置されている先羽根及び後羽根と、
前記先羽根に連結されていて先羽根用係止部材による係止が解かれると先羽根用駆動ばねの付勢力によって回転し前記先羽根に露光作動を行わせる先羽根用駆動部材と、
前記後羽根に連結されていて前記先羽根用係止部材による係止が解かれてから後羽根用係止部材による係止が解かれると後羽根用駆動ばねの付勢力によって回転し前記後羽根に露光作動を行わせる後羽根用駆動部材と、
前記先羽根と前記後羽根が露光作動を行うときは前記二つの駆動部材の作動軌跡外に退いた初期位置にあり前記露光作動が終了すると該初期位置からセット作動を開始し前記二つの駆動部材を前記二つの駆動ばねの付勢力に抗して前記二つの係止部材に係止され得る位置まで回転させ撮影前には該初期位置へ復帰しているセット部材と、
先羽根用電磁石と後羽根用電磁石のコイルに通電されているときは該二つの電磁石の鉄芯部材に各々吸着保持されていて該二つの電磁石の各コイルに対する通電が順に断たれると先羽根用解除ばねと後羽根用解除ばねの付勢力によって該鉄芯部材から各々離反して前記二つの係止部材による前記二つの駆動部材の係止を個別に解く先羽根用係止解除手段及び後羽根用係止解除手段と、
前記セット部材の前記セット作動に連動して作動させられ前記二つの解除ばねの付勢力に抗して前記二つの係止解除手段を押動し前記二つの鉄芯部材に接触させ前記二つの電磁石のコイルに通電されると前記二つの係止解除手段の作動軌跡外に作動させられるホールド手段と、を備えているカメラ用フォーカルプレンシャッタにおいて、
往復作動可能な可動子を有している電磁装置と、
前記可動子によって往復作動させられ前記後羽根用係止解除手段の作動軌跡内に進退させられる抑止手段とを備えていて、
前記後羽根用係止解除手段が前記後羽根用電磁石の鉄芯部材に接触しているときに、前記抑止手段を前記後羽根用係止解除手段の作動軌跡内に進出させたときには、前記二つの電磁石のコイルに通電せずに前記ホールド手段を前記二つの係止解除手段の作動軌跡外へ作動させ、それに伴って前記後羽根用電磁石の鉄芯部材から離反する前記後羽根用係止解除手段の作動を、前記後羽根用係止部材による前記後羽根用駆動部材の係止を解く前に、前記抑止手段が抑止し、その後、前記電磁装置が前記抑止手段を前記後羽根用係止解除手段の作動軌跡外に作動させると、前記後羽根用係止解除手段が前記後羽根用係止部材による前記後羽根用駆動部材の係止を解くようにしたことを特徴とするデジタルカメラ用フォーカルプレンシャッタ。
【請求項２】
前記抑止手段が、前記電磁装置の可動子と一体化されていることを特徴とする請求項１に記載のデジタルカメラ用フォーカルプレンシャッタ。
【請求項３】
前記可動子が、永久磁石を有する回転子であることを特徴とする請求項１又は２に記載のデジタルカメラ用フォーカルプレンシャッタ。
【請求項４】
前記電磁装置がプランジャであることを特徴とする請求項１又は２に記載のデジタルカメラ用フォーカルプレンシャッタ。
【請求項５】
前記後羽根用駆動部材が、同軸上に回転可能に取り付けられた後羽根用第１駆動部材と後羽根用第２駆動部材とで構成されており、該後羽根用第１駆動部材は、後羽根を連結していて、セット作動時には、セットばねの付勢力によって該後羽根用第２駆動部材に追従して回転し、該後羽根用第２駆動部材は、後羽根に露光作動を開始させる前には、前記後羽根用係止部材に係止されていて、その係止が解かれたときには、該セットばねの付勢力に抗して前記後羽根用駆動ばねの付勢力により該後羽根用第１駆動部材を押しながら回転するようにしたことを特徴とする請求項１乃至４のいずれかに記載のデジタルカメラ用フォーカルプレンシャッタ。
【請求項６】
前記後羽根は、前記シャッタ地板に枢着された二つのアームと、それらのアームに対して長さ方向に順に枢支された複数枚の略短冊状をした羽根とからなっていて、露光作動開始直前の状態においては、それらの羽根が露光開口から退いて重畳状態となるように構成されており、前記中間板は、重畳状態にある前記複数枚の羽根と重なる領域の外形縁が、露光開口側に向けて凸状となる円弧状をしていて、前記複数枚の羽根とは、それらの羽根の長さ方向の略中央部において、それらとの重なり幅が小さくなるように形成されていることを特徴とする請求項１乃至５のいずれかに記載のデジタルカメラ用フォーカルプレンシャッタ。
【請求項７】
前記ホールド手段は、二つの押圧部を有する押圧部材を所定の回転角度内で回転可能に取り付けていて、前記セット部材の前記セット作動に連動して作動するときは、該二つの押圧部によって前記二つの係止解除手段を前記二つの解除ばねの付勢力に抗して押し、前記二つの係止解除手段を前記二つの鉄芯部材に接触させた状態でレリーズ部材に係止され、該レリーズ部材がその係止を解くと、ばねの付勢力によって前記二つの係止解除手段の作動軌跡外へ作動させられるように構成されており、該ばねの付勢力による作動の停止時においては、前記押圧部材の少なくとも一方の押圧部が、前記シャッタ地板と一体の部材に取り付けられている緩衝部材に当接し得るようにしたことを特徴とする請求項１乃至６のいずれかに記載のデジタルカメラ用フォーカルプレンシャッタ。
【発明の詳細な説明】
【技術分野】
【０００１】
本発明は、デジタルカメラ用フォーカルプレンシャッタに関する。
【背景技術】
【０００２】
デジタルカメラ用のフォーカルプレンシャッタの中には、先羽根と後羽根という二つのシャッタ羽根を備えたものがある。そして、この種のフォーカルプレンシャッタは、通常は、フィルムを使用するカメラ用のフォーカルプレンシャッタと同様に、先羽根と後羽根が、先羽根用駆動部材と後羽根用駆動部材に連結されていて、撮影待機状態であるセット状態においては、先羽根が露光開口を覆い、後羽根が露光開口から退いており、撮影時には、それらの二つの駆動部材が先羽根用駆動ばねと後羽根用駆動ばねの付勢力によって同じ方向に順に回転させられ、先羽根が露光開口を開いてゆき、後羽根がその後から閉じていくことによって、撮像装置の撮像面を露光していくように構成されている。そのため、このような構成のフォーカルプレンシャッタを備えているデジタルカメラは、光学式ビューファインダ（以下、光学ファインダという）を備えているのが普通である。
【０００３】
また、このような構成のデジタルカメラ用フォーカルプレンシャッタは、後羽根が露光開口を完全に閉じると、撮像情報が撮像装置から情報処理回路を介して記憶装置に記憶され、直ちにセット作動が行われるが、そのセット作動は、初期位置から回転させられるセット部材が、それらの二つの駆動部材を、各々の駆動ばねの付勢力に抗してセット位置まで逆転させるようにしている。そして、それらの二つの駆動部材を、次の撮影が行われるまで、セット状態に保っておくための構成としては、係止タイプと言われているものと、ダイレクトタイプと言われているものが知られている。
【０００４】
即ち、係止タイプというのは、撮影に際して先羽根及び後羽根に露光作動を行わせるまでは、二つの駆動部材は、係止部材によって係止されているようにしたものである。そのため、セット部材は、セット作動によって二つの駆動部材がセット位置で各々の係止部材によって係止され得るようになると、直ちに初期位置へ復帰させられるように構成することが可能であるが、カメラのレリーズ時に、先羽根の開き作動に先立って初期位置へ復帰させられるように構成することも可能である。そして、先羽根と後羽根の露光作動は、各々の電磁石によって順に作動を可能にさせられる二つの解除手段が、各々の係止部材による各々の駆動部材の係止を解くことによって行われる。
【０００５】
他方、ダイレクトタイプというのは、二つの駆動部材が、各々鉄片部材を備えており、セット部材は、セット作動によって、それらの鉄片部材が、未だ励磁されていない各々の電磁石に接触するようになるまで、二つの駆動部材を各々の駆動ばねの付勢力に抗して回転させるようにしたものである。そのため、セット部材は、直ちに初期位置へは復帰させられず、その後もその状態を保っていて、カメラのレリーズ時に、各々の電磁石が励磁されそれらの鉄片部材を磁気吸引力によって吸着保持すると、初期位置へ復帰させられるようにしている。そして、先羽根と後羽根の露光作動は、その後、各々の電磁石が順に消磁し、各鉄片部材の吸着保持力を失うことによって行われる。
【０００６】
本発明は、それらのうち、先羽根と後羽根とを備えている係止タイプのデジタルカメラ用フォーカルプレンシャッタに関するものであるが、下記の特許文献１には、そのような係止タイプであって、デジタルカメラにも、フィルムを使用するカメラにも採用することの可能なカメラ用フォーカルプレンシャッタが記載されている。
【０００７】
ところで、先羽根と後羽根を備えているデジタルカメラ用フォーカルプレンシャッタの中には、特許文献１に記載されているような係止タイプではないが、光学ファインダの代りに、液晶やＥＬ（エレクトロルミネッセンス）などの表示パネルを備えた電子式ビューモニタ（以下、モニタという）を用いて撮影をするようにしたものがある。また、その場合には、撮影用の撮像素子を、モニタ用の撮像素子と兼用させるようにすることが知られているが、そのようなことを可能にしたデジタルカメラ用フォーカルプレンシャッタの一例が下記の特許文献２に記載されている。
【０００８】
そして、この特許文献２に記載されているフォーカルプレンシャッタは、撮影待機状態においては、先羽根と後羽根の両方を露光開口から退いた状態にしておき、撮影に際してレリーズボタンが押されると、その初期段階で、先羽根を露光開口を覆った状態に作動させ、次の段階で、先羽根と後羽根の両方に順に露光作動を行わせるようにしたモードでの撮影のほか、撮影に際してレリーズボタンが押されると、先羽根を作動させず、電子制御回路が撮像素子を制御することによって撮影が開始され、後羽根が露光開口を閉鎖することによって撮影が終了するようにしたモードでの撮影や、撮影の開始と終了をいずれも電子制御回路が制御するようにしたモードでの撮影も行えるようにすることもできるし、さらには、レリーズボタンを押している間は、電子制御回路が所定の動作を繰り返すようにすることによって動画の撮影も行えるようにすることが可能なものである。
【先行技術文献】
【特許文献】
【０００９】
【特許文献１】特開２００１−３０５６０５号公報
【特許文献２】特開２００４−３１７５９０号公報
【発明の概要】
【発明が解決しようとする課題】
【００１０】
ところで、特許文献１に記載されているような係止タイプのフォーカルプレンシャッタを備えているデジタルカメラの場合にも、光学ファインダを用いた撮影のほかに、切換手段を設けることによって、特許文献２に記載されているフォーカルプレンシャッタのように、モニタを用いた撮影も行えるようにすることが要求されている。ところが、係止タイプのフォーカルプレンシャッタに、特許文献２に記載されているフォーカルプレンシャッタの構成を採用して、特許文献２に記載されているフォーカルプレンシャッタでは可能である、上記のような複数のモードのうちの一つを選択して撮影できるようにすることは困難である。
【００１１】
本発明は、このような問題点を解決するためになされたものであり、その目的とするところは、光学ファインダを用いる撮影モードでの撮影と、撮影者が撮影前に予め操作をすることによって、モニタ用の撮像素子を撮影用の撮像素子で兼用させるようにしたモニタを用いる撮影モードでの撮影をも可能にした、二つのシャッタ羽根を備えている係止タイプのデジタルカメラ用フォーカルプレンシャッタを提供することである。
【課題を解決するための手段】
【００１２】
上記の目的を達成するために、本発明は、シャッタ地板と補助地板との間を中間板で仕切って構成した二つの羽根室内に個別に配置されている先羽根及び後羽根と、前記先羽根に連結されていて先羽根用係止部材による係止が解かれると先羽根用駆動ばねの付勢力によって回転し前記先羽根に露光作動を行わせる先羽根用駆動部材と、前記後羽根に連結されていて前記先羽根用係止部材による係止が解かれてから後羽根用係止部材による係止が解かれると後羽根用駆動ばねの付勢力によって回転し前記後羽根に露光作動を行わせる後羽根用駆動部材と、前記先羽根と前記後羽根が露光作動を行うときは前記二つの駆動部材の作動軌跡外に退いた初期位置にあり前記露光作動が終了すると該初期位置からセット作動を開始し前記二つの駆動部材を前記二つの駆動ばねの付勢力に抗して前記二つの係止部材に係止され得る位置まで回転させ撮影前には該初期位置へ復帰しているセット部材と、先羽根用電磁石と後羽根用電磁石のコイルに通電されているときは該二つの電磁石の鉄芯部材に各々吸着保持されていて該二つの電磁石の各コイルに対する通電が順に断たれると先羽根用解除ばねと後羽根用解除ばねの付勢力によって該鉄芯部材から各々離反して前記二つの係止部材による前記二つの駆動部材の係止を個別に解く先羽根用係止解除手段及び後羽根用係止解除手段と、前記セット部材の前記セット作動に連動して作動させられ前記二つの解除ばねの付勢力に抗して前記二つの係止解除手段を押動し前記二つの鉄芯部材に接触させ前記二つの電磁石のコイルに通電されると前記二つの係止解除手段の作動軌跡外に作動させられるホールド手段と、を備えているカメラ用フォーカルプレンシャッタにおいて、往復作動可能な可動子を有している電磁装置と、前記可動子によって往復作動させられ前記後羽根用係止解除手段の作動軌跡内に進退させられる抑止手段とを備えていて、前記後羽根用係止解除手段が前記後羽根用電磁石の鉄芯部材に接触しているときに、前記抑止手段を前記後羽根用係止解除手段の作動軌跡内に進出させたときには、前記二つの電磁石のコイルに通電せずに前記ホールド手段を前記二つの係止解除手段の作動軌跡外へ作動させ、それに伴って前記後羽根用電磁石の鉄芯部材から離反する前記後羽根用係止解除手段の作動を、前記後羽根用係止部材による前記後羽根用駆動部材の係止を解く前に、前記抑止手段が抑止し、その後、前記電磁装置が前記抑止手段を前記後羽根用係止解除手段の作動軌跡外に作動させると、前記後羽根用係止解除手段が前記後羽根用係止部材による前記後羽根用駆動部材の係止を解くようにする。
【００１３】
その場合、前記抑止手段が、前記電磁装置の可動子と一体化されているようにしてもよい。また、前記可動子が、永久磁石を有する回転子であるようにしてもよいし、前記電磁装置がプランジャであるようにしてもよい。
【００１４】
また、本発明のデジタルカメラ用フォーカルプレンシャッタは、前記後羽根用駆動部材が、同軸上に回転可能に取り付けられた後羽根用第１駆動部材と後羽根用第２駆動部材とで構成されており、該後羽根用第１駆動部材は、後羽根を連結していて、セット作動時には、セットばねの付勢力によって該後羽根用第２駆動部材に追従して回転し、該後羽根用第２駆動部材は、後羽根に露光作動を開始させる前には、前記後羽根用係止部材に係止されていて、その係止が解かれたときには、該セットばねの付勢力に抗して前記後羽根用駆動ばねの付勢力により該後羽根用第１駆動部材を押しながら回転するようにすると、セット状態における後羽根の格納スペースが小さくなり、シャッタ全体として、先羽根及び後羽根の作動方向の寸法を小さくすることが可能になる。
【００１５】
また、前記後羽根は、前記シャッタ地板に枢着された二つのアームと、それらのアームに対して長さ方向に順に枢支された複数枚の略短冊状をした羽根とからなっていて、露光作動開始直前の状態においては、それらの羽根が露光開口から退いて重畳状態となるように構成されており、前記中間板は、重畳状態にある前記複数枚の羽根と重なる領域の外形縁が、露光開口側に向けて凸状となる円弧状をしていて、前記複数枚の羽根とは、それらの羽根の長さ方向の略中央部において、それらとの重なり幅が小さくなるように形成されているようにすると、中間板との接触面積が小さくなって、後羽根の露光作動の開始が円滑に行えるようになり、シャッタ地板と補助地板との間隔を小さくすることも可能になる。
【００１６】
更に、前記ホールド手段は、二つの押圧部を有する押圧部材を所定の回転角度内で回転可能に取り付けていて、前記セット部材の前記セット作動に連動して作動するときは、該二つの押圧部によって前記二つの係止解除手段を前記二つの解除ばねの付勢力に抗して押し、前記二つの係止解除手段を前記二つの鉄芯部材に接触させた状態でレリーズ部材に係止され、該レリーズ部材がその係止を解くと、ばねの付勢力によって前記二つの係止解除手段の作動軌跡外へ作動させられるように構成されており、該ばねの付勢力による作動の停止時においては、前記押圧部材の少なくとも一方の押圧部が、前記シャッタ地板と一体の部材に取り付けられている緩衝部材に当接し得るようにすると、前記ホールド手段の静止状態が早く得られるので、カメラのレリーズボタンを押してから、先羽根が露光作動を開始するまでの時間を短縮することが可能になる。
【発明の効果】
【００１７】
本発明は、二つのシャッタ羽根を備えている係止タイプのデジタルカメラ用フォーカルプレンシャッタにおいて、抑止手段が、電磁装置によって後羽根用係止解除手段の作動軌跡内に作動させられた場合には、後羽根用電磁石のコイルに通電されないようにし、ホールド手段の作動に追従して後羽根用電磁石の鉄芯部材から離反作動を行う後羽根用係止解除手段が、後羽根用係止部材による後羽根用駆動部材の係止を解く前に、抑止手段によって抑止されるような構成にしたから、光学ファインダを用いる撮影モードでの撮影と、モニタ用の撮像素子を撮影用の撮像素子で兼用させるようにしたモニタを用いる撮影モードでの撮影とを、撮影者が撮影前に選択して行なえるという特徴がある。
【図面の簡単な説明】
【００１８】
【図１】露光作動終了直後の状態を示した平面図であって、シャッタ羽根の制御機構については、主に、シャッタ地板の近くに配置されている開閉駆動機構の構成部材だけを示したものである。
【図２】図１における左約半分だけを拡大して示した平面図である。
【図３】露光作動終了直後の状態を示した平面図であって、主に、図２に示されている開閉駆動機構よりもシャッタ地板から離れたところに、その開閉駆動機構と重なるようにして配置されている係止解除機構の構成部材を示したものである。
【図４】図２に示されている開閉駆動機構のオーバーセット状態を示した平面図である。
【図５】図２に示されている開閉駆動機構のセット完了状態を示した平面図である。
【図６】図３に示されている係止解除機構のセット完了状態を示した平面図である。
【図７】図３に示されている係止解除機構が、カメラのレリーズ直後に発生させる現象を示した平面図である。
【図８】図７に示した状態の直後における係止解除機構の状態を示した平面図である。
【図９】光学ファインダを用いる撮影モードで静止画像を撮影する場合における主な構成部材の作動関係を示したタイミングチャートである。
【図１０】モニタを用いる撮影モードを選択したことによって図６の状態から電磁装置が作動した状態を示す係止解除機構の平面図である。
【図１１】モニタを用いる撮影モードで撮影する場合における係止解除機構の撮影待機状態を示す平面図である。
【図１２】モニタを用いる撮影モードで撮影する場合における開閉駆動機構の撮影待機状態を示す平面図である。
【図１３】モニタを用いる撮影モードで静止画像を撮影する場合における主な構成部材の作動関係を示したタイミングチャートである。
【図１４】モニタを用いる撮影モードで動画撮影をする場合における主な構成部材の作動関係を示したタイミングチャートである。
【発明を実施するための形態】
【００１９】
本発明の実施の形態を、図示した実施例によって説明する。尚、本実施例の係止タイプのデジタルカメラ用フォーカルプレンシャッタは、撮影を行う前に、カメラに備えられている切換手段を操作することによって、光学ファインダを用いて撮影を行うか、モニタを用いて撮影を行うかを選択することが可能であって、光学ファインダを用いて撮影を行う場合には、先羽根が露光開口を開き始めることによって撮影露光を開始し、後羽根が露光開口を閉じ終わることによって撮影露光を終了するようにしたモードでの静止画像の撮影が行われ、モニタを用いて撮影を行う場合には、電子制御回路が撮像素子を制御することによって撮影が開始され、後羽根が露光開口を閉鎖することによって撮影が終了するようにしたモードでの静止画像の撮影と、静止画像の撮影をする場合とは別のレリーズボタンを押すことによって、そのボタンを押している間は、電子制御回路が所定の動作を繰り返すモードでの動画の撮影も行えるようにしたものである。
【実施例】
【００２０】
先ず、主に、図１〜図３を用いて本実施例の構成を説明する。尚、図１〜図３は、いずれも露光作動終了直後の状態を示した平面図である。そして、図１は、シャッタ地板の背面側に配置されているシャッタ羽根などの構成も破線で示している。しかし、開閉駆動機構と係止解除機構とからなっていてシャッタ地板の表面側（手前側）に配置されているシャッタ羽根の制御機構については、シャッタ地板の近くに配置されている開閉駆動機構の構成部材だけを示してある。また、図２は、図１における左約半分だけを拡大して示した平面図である。更に、図３は、図２に示されている開閉駆動機構と重なるようにして、開閉駆動機構よりもシャッタ地板から離れて配置されている係止解除機構の構成部材を示したものである。そのため、図３には、図２に示されている一部の構成も示されている。
【００２１】
図１において、シャッタ地板１は、その略中央部に開口部１aを形成している。シャッタ地板１の背面側には、所定の間隔を空けて、中間板２と補助地板３が順に取り付けられており、シャッタ地板１と中間板２との間に後述する先羽根の羽根室を構成し、中間板２と補助地板３との間に後述する後羽根の羽根室を構成している。また、中間板２にも、開口部１ａと重なるところに独特の形状をした開口部２ａが形成されていて、補助地板３にも、開口部１ａと重なるところに、開口部１ａよりも若干大きな長方形の開口部３ａが形成されている。通常、長方形を横長にした形状をしている露光開口（シャッタとして被写体光を通過させる開口）は、それらの開口部１ａ，２ａ，３ａの一つによって形成されるか、二つ以上の合成によって形成されるようにしているが、本実施例の場合には、開口部１ａだけによって形成されている。
【００２２】
また、本実施例の中間板２は、右上隅と、左下隅と、右下隅の３箇所に形成されている取付け孔（符号なし）によってシャッタ地板１に取り付けられている。そして、開口部２ａの左側となる外形形成縁の形状は、周知のように、後述する二つの駆動ピンの作動軌跡を避けるようにして複雑な形状に形成されている。また、この中間板２は、開口部２ａの上方となる外形形成縁２ｂの形状が、開口部２ａ側に向けて、即ち本実施例では開口部１ａである露光開口側に向けて凸状となる円弧状に形成されているが、その理由は、後述する作動説明の中で説明する。また、補助地板３の外形形状は、シャッタ地板１と略同じであるが局部的に若干小さく形成されており、中間板２の場合と同じ３箇所のほか、図示していない左上隅の１箇所でシャッタ地板１に取り付けられている。尚、図２においては、図１に示されている補助地板３の外形形状の図示が省略されている。
【００２３】
図１及び図２に示されているように、シャッタ地板１には、開口部１ａの左側の領域に、円弧状の二つの長孔１ｂ，１ｃが形成されており、それらの下端部には、周知のように、平面形状が略Ｃ字状をしているゴム製の緩衝部材４，５が取り付けられている。また、シャッタ地板１には、開口部１ａの左側の領域に、三つの柱１ｄ，１ｅ，１ｆが立設されている。それらのうち、柱１ｆは、その先端に形成された図示していないねじ孔に、図３に示されているねじ６を螺合させることによって、図３に示されている上地板７を取り付けている。また、柱１ｄ，１ｅは、長さ方向の途中で上地板７を取り付けているほか、図３に示されているように、上地板７に立設されている柱７ａ及び軸７ｂと共に、それらの先端に形成された図示していないねじ孔に、図示していないねじを螺合させることによって、上地板７との間に所定の間隔をあけてカバー板８（外形が二点鎖線で示されている）を取り付けている。
【００２４】
次に、主に図２を用いて、シャッタ地板１と上地板７との間に配置されている構成部材を説明するが、その前に、それらを取り付けるためにシャッタ地板１に立設されている軸部材を説明する。シャッタ地板１には、上地板７に向けて六つの軸１ｇ，１ｈ，１ｉ，１ｊ，１ｋ，１ｍが立設されている。それらのうち、軸１ｇ，１ｈは、シャッタ地板１を貫通していて背面側にも軸部を立設しており、シャッタ地板１の背面側に立設された軸１ｎ，１ｐと共に、後述する先羽根の二つのアームと後羽根の二つのアームとを、それぞれ回転可能に取り付けるようにしている。また、軸１ｋ，１ｍは、先端に形成されている小径部を上地板７に形成された孔に嵌合させ、小径部との間に形成されたリング状の段差端面で上地板７を支える役目もしている。
【００２５】
そこで先ず、シャッタ地板１の上記の柱１ｄには、リング状の緩衝部材９が取り付けられている。また、上記の軸１ｇには、上地板７側に立設されている軸部に、先羽根用駆動部材１０が回転可能に取り付けられており、図示していない先羽根用駆動ばねによって、時計方向へ回転するように付勢されている。また、この先羽根用駆動部材１０は、被係止部１０ａを有しており、上地板７側の面にはローラ１０ｂを回転可能に取り付け、シャッタ地板１側には駆動ピン１０ｃを有している。そして、その駆動ピン１０ｃは、シャッタ地板１の長孔１ｂを貫通しており、根元部が上記の緩衝部材４に当接し得るようになっていて、先端部は、羽根室内で先羽根に連結されている。その先羽根の構成については後述する。
【００２６】
シャッタ地板１の上記の軸１ｈには、上地板７側に立設されている軸部に、後羽根用第１駆動部材１１と、後羽根用第２駆動部材１２とが、後羽根用第１駆動部材１１をシャッタ地板１側にして、個々に回転可能に取り付けられている。そして、後羽根用第１駆動部材１１は、上地板７側に円柱形をした係合部１１ａを設けており、シャッタ地板１側には駆動ピン１１ｂを有している。そして、その駆動ピン１１ｂは、シャッタ地板１の長孔１ｃを貫通しており、根元部が上記の緩衝部材５に当接し得るようになっていて、先端部は、羽根室内で後羽根に連結されている。その後羽根の構成については後述する。
【００２７】
また、後羽根用第２駆動部材１２は、被係止部１２ａと、上記の係合部１１ａを挿入させた窓部１２ｂとを有していて、上地板７側にはローラ１２ｃを回転可能に取り付けている。そして、この後羽根用第２駆動部材１２は、図示していない後羽根用駆動ばねによって、時計方向へ回転するように付勢されている。また、本実施例の場合には、この後羽根用第２駆動部材１２と上記の後羽根用第１駆動部材１１との間に、図示していないセットばねが掛けられていて、後羽根用第２駆動部材１２を時計方向へ回転させ、後羽根用第１駆動部材１１を反時計方向へ回転させるように付勢しているが、図１及び図２の状態においては、後羽根用第１駆動部材１１の係合部１１ａが後羽根用第２駆動部材１２の窓部１２ｂの縁に接触しているので、その付勢力は働かないようになっている。尚、周知のように、そのセットばねを二つのばねで構成し、一方のばねが、後羽根用第２駆動部材１２を時計方向へ回転させるように付勢し、他方のばねが、後羽根用第１駆動部材１１を反時計方向へ回転させるように付勢するようにしても構わない。
【００２８】
シャッタ地板１の上記の軸１ｉには、セット部材１３が回転可能に取り付けられており、図示していないばねによって、反時計方向へ回転するように付勢されている。そして、このセット部材１３は、シャッタ地板１側の面に、上記した先羽根用駆動部材１０のローラ１０ｂに接触し得るローラ１３ａと、上記した後羽根用第２駆動部材１２のローラ１２ｃに接触し得るローラ１３ｂとを回転可能に取り付けている。
【００２９】
シャッタ地板１の上記の軸１ｊには、セット操作部材１４が回転可能に取り付けられている。このセット操作部材１４は、カメラ本体側の部材によって操作されるローラ１４ａを回転可能に取り付けていると共に、シャッタ地板１側の面に軸１４ｂを立設している。そして、このセット操作部材１４は、リンク部材１５を介して上記のセット部材１３に連結されている。即ち、リンク部材１５には一端に孔が形成されていて、そこに、セット操作部材１４の上記の軸１４ｂが回転可能に嵌合している。また、リンク部材１５の他端には、上地板７側にピン１５ａが設けられ、そのピン１５ａと同心となるようにしてシャッタ地板１側には軸が立設されている。そして、その軸が、セット部材１３に形成されている孔に回転可能に嵌合している。
【００３０】
そのため、図１においては、セット操作部材１４は、セット部材１３が図示していないばねの付勢力によって反時計方向へ回転したのに伴って、リンク部材１５を介して反時計方向へ回転させられ、緩衝部材９をストッパとして停止させられた状態になっている。尚、このセット操作部材１４は、セット作動時に、カメラ本体側の部材によってローラ１４ａを押されて時計方向へ回転させられたとき、リンク部材１５を介して、セット部材１３を時計方向へ回転させるためのものであるが、このようなセット操作部材１４を備えることなく、セット作動時には、直接、カメラ本体側の部材によって、セット部材１３を時計方向へ回転させるようにしても構わない。しかし、その場合には、リンク部材１５も不要になってくるので、後述の説明からも分かるように、上記のピン１５ａに代るピンを、セット部材１３に設ける必要がある。
【００３１】
シャッタ地板１の上記の軸１ｋには、先羽根用係止部材１６が回転可能に取り付けられていて、図示していないばねによって、反時計方向へ回転するように付勢されている。この先羽根用係止部材１６は、シャッタ地板１側に折り曲げられた係止部１６ａを有しているが、この係止部１６ａは、先羽根用駆動部材１０の被係止部１０ａを係止し、先羽根用駆動部材１０の時計方向への回転を阻止するためのものである。また、この先羽根用係止部材１６は、上地板７側に折り曲げられた折曲部の上端に、さらに上地板７側に突出させた被押動部１６ｂを有していて、その被押動部１６ｂを、上地板７の略長方形をした孔７ｃ（図３参照）に挿入することによって、被押動部１６ｂの先端が上地板７とカバー板８との間に存在するようにしている。
【００３２】
シャッタ地板１の上記の軸１ｍには、後羽根用係止部材１７が回転可能に取り付けられていて、図示していないばねによって、時計方向へ回転するように付勢されている。この後羽根用係止部材１７は、シャッタ地板１側に折り曲げられた係止部１７ａと、上地板７側に折り曲げられた被押動部１７ｂを有している。そして、それらのうち、係止部１７ａは、後羽根用第２駆動部材１２の被係止部１２ａを係止し、後羽根用駆動部材１２の時計方向への回転を阻止するためのものである。また、被押動部１７ｂは、図３に示されているように、上地板７とカバー板８の側方において、その先端が、上地板７とカバー板８との間に存在するようにさせられている。
【００３３】
図３に示されているように、上地板７には、カバー板８側に向けて軸７ｄが立設されているが、その軸７ｄと同心上に、シャッタ地板１側に向けて軸７ｅが立設されており、その軸７ｅには、補助セット部材１８が回転可能に取り付けられている。そして、この補助材セット部１８には、ばねが掛けられていない。また、この補助セット部材１８は、押動部１８ａと、円弧状をした長孔１８ｂと、大きな逃げ孔１８ｃとを有していて、長孔１８ｂには、上記したリンク部材１５のピン１５ａが挿入されている。そのため、この補助セット部材１８は、セット部材１３が時計方向へ回転すると反時計方向へ回転し、その後、セット部材１３が反時計方向へ回転すると時計方向へ回転するようになっている。また、逃げ孔１８ｃは、先羽根用係止部材１６の被押動部１６ｂを貫通させ、上地板７の孔７ｃに挿入し得るようにしていると共に、作動上で、被押動部１６ｂとは干渉しない形状をしている。尚、図３には、リンク部材１５のピン１５ａが図示されているが、作動説明で用いる図６〜図８，図１０及び図１１においては図示が省略されている。
【００３４】
次に、主に図３を用いて、上地板７とカバー板８との間に配置されている構成部材を説明するが、その前に、上地板７の全体の形状と、それらの構成部材を取り付けるためにカバー板８側に向けて上地板７に立設されている軸部材などについて説明する。先ず、上地板７は、図３において実線で示されているように、全体として上下方向に長い形状をしているが、右半分は同一平面領域として形成されているのに対して、左半分は、右半分の領域から左方向へ張り出した四つの張出し領域として形成されている。
【００３５】
そして、一番上と上から三番目の張出し領域は、右半分の領域と同一平面となるように形成されているのに対して、残りの二つの張出し領域は、折曲部７ｆ，７ｇ，７ｈによって段差が付けられ、カバー板８側に高くなるように形成されている。また、二つの折曲部７ｇ，７ｈの間には、特殊な形状をした細長い窓部７ｉが形成されている。更に、このような上地板７の右上方部には折曲部７ｊが形成され、右下方部には被当接部７ｋが形成されているが、折曲部７ｊは、シャッタ地板１側に折り曲げられていて、上記の後羽根用係止部材１７が反時計方向へ回転させられたときのストッパの役目をするものである。
【００３６】
このような形状をした上地板７には、既に説明した軸７ｂ，７ｄのほかに、カバー板８に向けて二つの軸７ｍ，７ｎが立設されている。そして、それらのうち、軸７ｄ，７ｎは、先端に形成されている小径部をカバー板８に形成された孔に嵌合させ、小径部との間に形成されているリング状の段差端面でカバー板８を支えている。また、上地板７の上記した上から三番目の張出し領域には、二つの位置決めピン７ｐ，７ｑが、カバー板８側に向けて立設されている。
【００３７】
そこで次に、このような上地板７に取り付けられている構成部材を説明する。先ず、先羽根用電磁石１９と後羽根用電磁石２０は、鉄芯部材１９ａ，２０ａに形成されている孔を上記の位置決めピン７ｐ，７ｑに嵌合させた後、ねじ２１，２２によって上地板７に取り付けられている。これらの電磁石１９，２０は、Ｕ字形をしていて各々の二つの脚部の先端を磁極部とした上記の鉄芯部材１９ａ，２０ａと、コイル１９ｂ，２０ｂを巻回していて鉄芯部材１９ａ，２０ａの一方の脚部に嵌装されたボビン１９ｃ，２０ｃとからなっている。そのため、鉄芯部材１９ａ，２０ａの脚部は、上地板７の表面には接しておらず、浮いていることになる。
【００３８】
上地板７の上記の軸７ｎには、先羽根用係止解除部材２３が回転可能に取り付けられており、図示していない先羽根用解除ばねによって時計方向へ回転するように付勢されている。この先羽根用係止解除部材２３は、先羽根用係止部材１６の被押動部１６ｂを押す押動部２３ａを有しているほか、上方先端に形成された折曲部には鉄片部材２４を、周知のようにして取り付けている。そして、その鉄片部材２４には、被押動部２４ａが、その折曲部の右側に突き出るようにして設けられている。
【００３９】
上地板７の上記の軸７ｂには、後羽根用係止解除部材２５が回転可能に取り付けられており、図示していない後羽根用解除ばねによって反時計方向へ回転するように付勢されている。この後羽根用係止解除部材２５は、後羽根用係止部材１７の被押動部１７ｂを押す押動部２５ａと、被抑止部２５ｂを有しているほか、下方先端に形成された折曲部には鉄片部材２６を取り付けている。そして、その鉄片部材２６には、被押動部２６ａが、その折曲部の右側に突き出るようにして設けられている。
【００４０】
上地板７の上記の軸７ｄには、ホールド部材２７とホールド補助部材２８とが個々に回転可能に取り付けられている。そして、ホールド部材２７は、上記の先羽根用係止解除部材２３よりも上地板７側に配置され、ホールド補助部材２８は、上記の先羽根用係止解除部材２３よりもカバー板８側に配置されている。また、ホールド部材２７は、図示していない第１のばねによって時計方向に回転するように付勢されており、ホールド部材２７とホールド補助部材２８との間には、ホールド部材２７を反時計方向へ回転させるように付勢し、ホールド補助部材２８を時計方向へ回転させるように付勢している図示していない第２のばねが掛けられている。そして、図３においては、ホールド部材２７とホールド補助部材２８との相対関係は、上記の第２のばねの付勢力によって互いに異なる方向へ回転し得る限度状態になっており、しかも、両者は、上記の第１のばねの付勢力によって、一緒に時計方向へ回転して停止させられた状態になっている。
【００４１】
そのため、図３に状態において、ホールド補助部材２８が反時計方向へ回転させられると、上記の第１のばねの付勢力に抗して、ホールド部材２７も一緒に反時計方向へ回転させられ、その後、ホールド補助部材２８を反時計方向へ回転させる力が失われると、上記の第１のばねの付勢力によって両者は一緒に時計方向へ回転させられるようになっているが、そのように、ホールド部材２７とホールド補助部材２８とが一緒に反時計方向へ回転されてゆき、ホールド部材２７の回転が阻止されるようになった場合にだけ、上記の第２のばねを緊張させながら、ホールド補助部材２８だけが、反時計方向への回転を若干続け得るようになっている。尚、両者間をこのように構成することは周知であって、その具体的な構成の一例が、例えば、特開２００７−３４０４２号公報に記載されている。
【００４２】
ホールド部材２７の先端には軸２７ａが立設されており、その軸２７ａには、周知の押圧部材２９が取り付けられている。この押圧部材２９は、図３の上下方向に延伸して形成された二つの押圧部２９ａ，２９ｂを有していて、それらで、上記の鉄片部材２４，２６の被押動部２４ａ，２６ａを押し、鉄片部材２４，２６を鉄芯部材１９ａ，２０ａに押圧し得るようになっている。そして、この押圧部材２９は、二つの鉄片部材２４，２６を鉄芯部材１９ａ，２０ａに確実に押圧できるようにするために、周知の構成により、軸２７ａに対して所定の角度だけ回転し得るようにして取り付けられている。他方、ホールド補助部材２８は、その先端が、窓部７ｉを通って上地板７の背面側に配置されており、シャッタ地板１側に折り曲げられた被押動部２８ａが、補助セット部材１８の押動部１８ａによって押され得るようになっている。
【００４３】
上地板７の上記の軸７ｍには、レリーズ部材３０が回転可能に取り付けられていて、図示していないばねによって、反時計方向へ回転するように付勢されている。このレリーズ部材３０は、一方の腕部の先端に係止部３０ａを有していて、他方の腕部の先端に被押動部３０ｂと当接部３０ｃを有しており、上記のホールド補助部材２８よりも上地板７側に配置されている。そして、係止部３０ａは、窓部７ｉを通っていて、上地板７の背面側で、ホールド補助部材２８の被押動部２８ａを係止し、ホールド補助部材２８の時計方向の回転を阻止し得るようになっている。また、被押動部３０ｂは、図示していないカメラ本体側の部材によって押される部位であり、当接部３０ｃは、レリーズ部材３０が、図示していないばねの付勢力によって反時計方向へ回転させられたとき、上地板７に形成された上記の被当接部７ｋに当接して停止させられる部位である。
【００４４】
上地板７のカバー板８側の面には、二つのねじ３１，３２によって、電磁装置３３が取り付けられている。本実施例の電磁装置３３は、特開２００５−１７３１３２号公報などに記載されている周知の電流制御式アクチュエータの構成を変形し、永久磁石回転子３３ａに抑止部材３３ｂを一体化させたものである。即ち、上記の特許公開公報に記載されている電磁アクチュエータでは、シャッタ羽根を往復回転させるための出力ピンが、永久磁石回転子の回転軸と平行になるようにして、永久磁石回転子と一体的に形成されているのに対して、本実施例の電磁装置３３は、上記の後羽根用係止解除部材２５が反時計方向へ回転するのを抑止し得るようにするために、合成樹脂製であって棒状をしている抑止部材３３ｂを、永久磁石回転子３３ａに、その回転軸に対して垂直になるようにして一体化している。
【００４５】
そして、上記の特許公開公報に記載されている電流制御式アクチュエータは、その出力ピンによってシャッタ羽根や絞り羽根などを駆動するものであるため、まさしく、アクチュエータであるが、本実施例の電磁装置３３は、永久磁石回転子３３ａを備えているとはいえ、抑止部材３３ｂによって、後羽根用係止解除部材２５の回転を抑止するためだけのものであるから、アクチュエータとはいえない。そこで、抑止部材３３ｂ以外の電磁装置３３の構成は、実質的には周知であるとはいえ、一応、簡単にその構成を説明しておく。
【００４６】
先ず、第１固定子枠３３ｃは、円筒形の一端を封鎖したコップ状をしていて、他端を板状の第２固定子枠３３ｄで塞ぐことにより、第２固定子枠３３ｄとの間に、径方向に２極に着磁されている永久磁石回転子３３ａの収容室を構成している。また、それらの固定子枠３３ｃ，３３ｄは、収容室内で永久磁石回転子３３ａを軸受け状態にしておき、収容室の外側に、両方の軸受け部を囲むようにしてコイル３３ｅを巻回することによって相互に一体化されている。そして、上記の二つのねじ３１，３２は、第２固定子枠３３ｄを上地板７に螺着している。
【００４７】
第１固定子枠３３ｃの外側には、コイル３３ｅをも囲むようにして、円筒状のヨーク３３ｆが嵌装されている。また、明示されていないが、第１固定子枠３３ｃには、径方向の一部に窓が形成されており、上記の抑止部材３３ｂは、その窓から外部へ突き出ていて、永久磁石回転子３３ａの回転によって往復作動させられるようになっている。そして、その回転作動範囲は、図示していない二つのストッパによって規制されるようになっている。更に、第１固定子枠３３ｃには、鉄ピン（磁性体棒）３３ｇが、永久磁石回転子３３ａの回転軸と平行になるようにして取り付けられている。尚、本実施例では、この鉄ピン（磁性体棒）３３ｇを一つだけ備えているが、二つ以上（上記の特許公開公報では四つ）備えることも知られている。
【００４８】
更にここで、このような電磁装置３３の作動方法と機能についても簡単に説明しておく。永久磁石回転子３３ａは、コイル３３ｅに対して順方向に通電すると、時計方向へ回転させられ、抑止部材３３ｂが図示していないストッパに当接することによって停止させられるが、その後、コイル３３ｅに対して逆方向に通電すると、反時計方向へ回転させられ、抑止部材３３ｂが図示していないストッパに当接することによって停止させられるようになっている。そして、抑止部材３３ｂがいずれかのストッパに接触しているときに、コイル３３ｅに対する通電を断っても、永久磁石回転子３３ａと鉄ピン（磁性体棒）３３ｇとの間に作用する永久磁石回転子３３ａの磁力によって、永久磁石回転子３３ａには回転力が付与されているので、その回転力によって、抑止部材３３ｂとストッパとの接触状態が維持されるようになっている。
【００４９】
上地板７とカバー板８との間には、もう一つの部材が配置されている。即ち、カバー板８には、図３の中央右端に、上地板７側に向けて、折曲部８ａが上下方向に細長く形成されており、その折曲部８ａの左側に、細長い直方体をしたゴム製の緩衝部材３４（便宜的に破線で示してある）が接着剤で取り付けられている。そして、この緩衝部材３４は、図３においては、ホールド部材２７と一部が重なって示されているが、実際には、カバー板８側に寄ったところで折曲部８ａに取り付けられているため、ホールド部材２７の作動には影響を与えず、ホールド部材２７に取り付けられている押圧部材２９の押圧部２９ａ，２９ｂだけが当接し得るように配置されている。
【００５０】
次に、既に説明した中間板２と補助地板３以外に、シャッタ地板１の背面側に配置されている構成部材を、図１及び図２を用いて説明する。先ず、シャッタ地板１と中間板２の間に配置されている先羽根は、シャッタ地板１に立設された二つの軸１ｇ，１ｎに一端を枢着されている二つのアーム３５，３６と、それらの自由端に向けて順に枢支された４枚の羽根３７，３８，３９，４０とで構成されていて、それらの最先端に枢支された羽根４０をスリット形成羽根としている。そして、アーム３５は、周知の孔に、先羽根用駆動部材１０の駆動ピン１０ｃを嵌合させていると共に、軸１ｇに対する枢着部の近傍に、二つの遮光部３５ａ，３５ｂを形成している。また、アーム３５，３６と羽根３７，３８，３９，４０との重なり関係は、アーム３５，３６が最もシャッタ地板１側に存在し、羽根３７が最も中間板２側に存在するようになっている。
【００５１】
また、中間板２と補助地板３の間に配置されている後羽根は、シャッタ地板１に立設された二つの軸１ｈ，１ｐに一端を枢着されている二つのアーム４１，４２と、それらの自由端に向けて順に枢支された４枚の羽根４３，４４，４５，４６とで構成されていて、それらの最先端に枢支された羽根４６をスリット形成羽根としている。そして、アーム４１は、周知の孔に、後羽根用第１駆動部材１１の駆動ピン１１ｂを嵌合させていると共に、軸１ｈに対する枢着部の近傍に、二つの遮光部４１ａ，４１ｂを形成している。また、アーム４１，４２と羽根４３，４４，４５，４６との重なり関係は、アーム４１，４２が最も補助地板３側に存在し、羽根４３が最も中間板２側に存在するようになっている。
【００５２】
最後に、シャッタ地板１の背面側には、軸１ｇ，１ｈの近傍部に、同じ構成をした二つの光電センサ４７，４８が取り付けられている。これらの光電センサ４７，４８は、一般にフォトインターラプタといわれているものであって、発光部と受光部とが対向して配置されていて、発光部から出射した光を受光部で受光するように構成されており、受光部が受光しているときはＨ（High）信号を出力し、受光していないときにはＬ（Low）信号を出力するようになっている。そして、本実施例の場合には、上記のアーム３５の遮光部３５ａ，３５ｂが、光電センサ４７の光路を遮断し、上記のアーム４１の遮光部４１ａ，４１ｂが、光電センサ４８の光路を遮断し得るようになっている。
【００５３】
次に、本実施例の作動を説明するが、上記したように、本実施例は、カメラに備えられた選択手段を切換え操作することによって、光学ファインダを用いて撮影するか、モニタを用いて撮影するかを選択することが可能になっており、光学ファインダを用いて撮影する場合には、静止画像の撮影が可能であって、モニタを用いて撮影する場合は、別々のレリーズボタン（レリーズスイッチ）を押すことによって、静止画像の撮影と動画撮影とを選択して行えるようにしたものである。そのため、本実施例のフォーカルプレンシャッタを組み込んだデジタルカメラの場合には、光学ファインダを用いて撮影するかモニタを用いて撮影するかを選択する選択手段（スイッチ）と、静止画撮影用のレリーズボタンと、動画撮影用のレリーズボタンとが備えられていることにする。
【００５４】
図１〜図３は、既に説明したように、露光作動終了直後の状態、即ち撮影終了直後の状態を示したものであるが、本実施例の場合には、光学ファインダを用いた撮影の場合にも、モニタを用いた撮影の場合にも、撮影終了直後においては、いずれもこの状態になる。そして、このとき、図１及び図２に示されているセット部材１３は、図示していないばねの付勢力によって反時計方向へ回転するように付勢されているが、このセット部材１３と連動しているセット操作部材１４が緩衝部材９に接触していることによって、この停止状態が維持されている。以下、セット部材１３については、この停止位置を初期位置ということにする。
【００５５】
また、このとき、先羽根用駆動部材１０と後羽根用第１駆動部材１１は、それらの駆動ピン１０ｃ，１１ｂを緩衝部材４，５に当接させ、時計方向の回転を停止させられており、それによって、先羽根の４枚の羽根３７〜４０は、相互の重なり量を最大にした重畳状態となって、開口部１ａの下方領域に格納され、後羽根の４枚の羽根４３〜４６は、相互の重なり量を最小にした展開状態になって、開口部１ａを閉鎖している。また、このとき、ホールド部材２７とホールド補助部材２８は、図示していない上記の第１ばねによって時計方向へ回転するように付勢されているが、図３に示されているように、ホールド補助部材２８の被押動部２８ａが、補助セット部材１８の押動部１８ａに接触していることによって、その回転を阻止されている。
【００５６】
また、このとき、先羽根用係止解除部材２３は、図示していない先羽根用解除ばねの付勢力によって時計方向へ回転させられ、鉄片部材２４を先羽根用電磁石１９の鉄芯部材１９ａから離反させており、押動部２３ａが先羽根用係止部材１６の被押動部１６ｂを上地板７の孔７ｃの縁に押し付けた状態で停止させられている。また、後羽根用係止解除部材２５は、図示していない後羽根用解除ばねの付勢力によって反時計方向へ回転させられ、鉄片部材２６を後羽根用電磁石２０の鉄芯部材２０ａから離反させており、押動部２５ａが後羽根用係止部材１７の被押動部１７ｂを押し、後羽根用係止部材１７を上地板７の折曲部７ｊに押し付けた状態で停止させられている。
【００５７】
更に、電磁装置３３の回転子３３ａは、反時計方向へ回転させられ、抑止部材３３ｂが図示していないストッパに当接して停止させられた状態を維持している。そして、この状態においては、二つの電磁石１９，２０のコイル１９ｃ，２０ｃと電磁装置３３のコイル３３ｅには通電されていない。
【００５８】
先羽根と後羽根の露光作動が終了して、このような状態になると、撮像情報が、撮像素子から画像処理回路を介して転送され、記憶装置に記憶された後、直ちにセット作動が行われる。本実施例の場合、そのセット作動は、セット操作部材１４が、図示していないカメラ本体側の部材によってローラ１４ａを押され、時計方向へ回転させられることによって開始されるが、そのセット作動の完了状態、即ち撮影待機状態は、カメラに備えられている選択手段が、光学ファインダを用いる撮影モードを選択しているときと、モニタを用いる撮影モードを選択しているときとでは異なっている。そこで、以下の作動説明は、先ず、光学ファインダを用いる撮影モードが選択されている場合を、図４〜図９を用いて説明する。
【００５９】
上記のようにして、撮像情報が記憶装置に記憶されると、図２において、図示していないカメラ本体側の部材がローラ１４ａを押し、セット操作部材１４を時計方向へ回転させる。それによって、セット部材１３は、図示していないばねの付勢力に抗して時計方向へ回転させられる。そのため、一方では、セット部材１３の二つのローラ１３ａ，１３ｂが、開閉駆動機構をセットしていくことになり、他方では、リンク部材１５のピン１５ａが、図３において補助セット部材１８を反時計方向へ回転させ、係止解除機構をセットしていくことになる。そして、それらのセット作動は、並行して行われていくことになるが、先ずは、開閉駆動機構のセット作動の方から説明する。
【００６０】
そこで先ず、図２において、セット部材１３が時計方向へ回転を開始すると、最初に、ローラ１３ａが先羽根用駆動部材１０のローラ１０ｂを押し、先羽根用駆動部材１０を、図示していない先羽根用駆動ばねの付勢力に抗して、反時計方向へ回転させるので、開口部１ａの下方位置に格納されていた先羽根の４枚の羽根３７〜４０が、隣接する羽根同士の重なり量を小さくしつつ、スリット形成羽根４０を先頭にして上方へ作動させられていく。そして、先羽根のスリット形成羽根４０と後羽根のスリット形成羽根４６の重なりが所定量に達すると、セット部材１３の他方のローラ１３ｂが、後羽根用第２駆動部材１２のローラ１２ｃを押し始めるため、後羽根用第２駆動部材１２は、図示していない後羽根用駆動ばねの付勢力に抗して、反時計方向へ回転させられるようになる。
【００６１】
また、上記したように、図示していないセットばねが、後羽根用第１駆動部材１１と後羽根用第２駆動部材１２との間に掛けられていて、後羽根用第１駆動部材１１を反時計方向へ回転させ且つ後羽根用第２駆動部材１２を時計方向へ回転させるように付勢しているので、後羽根用第２駆動部材１２が、上記のようにして、セット部材１３によって反時計方向へ回転させられると、後羽根用第１駆動部材１１も、その係合部１１ａが後羽根用第２駆動部材１２の窓部１２ｂの縁に追従して、反時計方向へ回転させられる。そのため、後羽根の４枚の羽根４３〜４６は、その時点から隣接する羽根同士の重なり量を小さくしつつ上方へ作動させられていく。そして、それ以後は、先羽根と後羽根は、スリット形成羽根同士の重なり量を好適に保ちながら作動を続けていくことになる。
【００６２】
このようにして、セット作動が行われてゆき、先羽根の４枚の羽根３７〜４０が展開状態となって開口部１ａを覆い、後羽根の４枚の羽根４３〜４６が重畳状態となって開口部１ａの上方位置に格納された段階になると、後羽根用第１駆動部材１１は、その駆動ピン１１ｂが、シャッタ地板１に形成されている円弧状の長孔１ｃの上端に当接して停止させられる。
【００６３】
そして、先羽根用駆動部材１０と後羽根用第２駆動部材１２は、その後も、僅かに反時計方向への回転を続けるので、先羽根の４枚の羽根３７〜４０も上方への作動を続けるが、後羽根の４枚の羽根４３〜４６は停止したままになるため、後羽根用第１駆動部材１１と後羽根用第２駆動部材１２との間に掛けられた図示していないセットばねが緊張されていく。つまり、本実施例の場合には、このような作動を可能にしたことによって、後羽根用第２駆動部材１２がそれ以上回転しても、後羽根の４枚の羽根４３〜４６は、それに伴って、それ以上は上方へ作動させられないようになっている。
【００６４】
そのため、後羽根の格納領域のスペース、言い換えれば、開口部１ａの上端縁からシャッタ地板１の上端縁までの距離が小さくて済むので、光学ファインダなどの図示していないカメラ本体側の構成部材を、少しでも有利に設置できるようになっている。従って、そのように構成する必要がない場合には、後羽根用第１駆動部材１１と後羽根用第２駆動部材１２とを、一つの部材としてしまっても構わない。
【００６５】
本実施例の場合には、このようにして、後羽根用第１駆動部材１１の回転が停止した後も、先羽根用駆動部材１０と後羽根用第２駆動部材１２は、なおも反時計方向へ回転させられていく。それによって、先羽根用駆動部材１０は、その被係止部１０ａが、その段階では既に被係止部１０ａの作動軌跡内に存在している（その理由は、後述の係止解除機構のセット作動説明から理解することができる）係止部１６ａを押すことによって、先羽根用係止部材１６を、図示していないばねの付勢力に抗して僅かに時計方向へ回転させ始める。そして、先羽根用駆動部材１０がなおも回転してそれらの接触が解かれると、先羽根用係止部材１６は、図示していないばねの付勢力によって反時計方向へ回転させられ、係止部１６ａを、被係止部１０ａの係止可能状態にする。
【００６６】
他方、上記のように、先羽根用駆動部材１０の被係止部１０ａが、先羽根用係止部材１６の係止部１６ａを押している段階では、後羽根用第２駆動部材１２も、被係止部１２ａが、その被係止部１２ａの作動軌跡内に既に存在している（後述の係止解除機構のセット作動説明から理解することができる）係止部１７ａを押すことによって、後羽根用係止部材１７を、図示していないばねの付勢力に抗して、反時計方向へ回転させ始めている。そして、後羽根用第２駆動部材１２がなおも回転することによってそれらの接触が解かれると、後羽根用係止部材１７は、図示していないばねの付勢力によって時計方向へ回転させられ、係止部１７ａを、被係止部１２ａの係止可能状態にする。そのときの状態が、図４に示されたオーバーセット状態である。
【００６７】
このようなオーバーセット状態になると、図示していないカメラ本体側の部材が、セット操作部材１４のローラ１４ａから離れていく。そのため、セット部材１３は、図示していないばねの付勢力によって反時計方向へ回転し得るようになり、リンク部材１５を介して、セット操作部材１４を反時計方向へ回転させながら、初期位置へ復帰していく。
【００６８】
他方、この回転によって、セット部材１３のローラ１３ａ，１３ｂが、二つの駆動部材１０，１２のローラ１０ｂ，１２ｃに対する押圧力を解いていくので、それらの駆動部材１０，１２は、図示していない駆動ばねの付勢力によって時計方向へ回転させられるが、いずれも僅かに回転したところで、それらの被係止部１０ａ，１２ａが上記の各係止部材１６，１７の係止部１６ａ，１７ａによって係止され、停止させられる。また、この僅かな回転で、先羽根の４枚の羽根３７〜４０は僅かに下方へ作動させられるが、開口部１ａの一部を開いてしまうことはない。そして、その後、セット部材１３が初期位置で停止すると、セット作動が完了するが、図５は、そのセット完了状態、即ち光学ファインダを用いる撮影モードで撮影するときの撮影待機状態を示したものである。
【００６９】
以上で、開閉駆動機構のセット作動の説明を終え、次に、セット作動時に、セット部材１３が、図２において、図示していないばねの付勢力に抗して時計方向へ回転し、リンク部材１５のピン１５ａによって、係止解除機構をセットする場合を説明する。セット部材１３が図２において時計方向へ回転すると、図３に示されている補助セット部材１８は、その長孔１８ｂの幅方向の縁をリンク部材１５のピン１５ａに押されて反時計方向へ回転させられ、その押動部１８ａによってホールド補助部材２８の被押動部２８ａを押し、図示していない上記の第１ばねの付勢力に抗して、ホールド部材２７とホールド補助部材２８を反時計方向へ回転させていく。
【００７０】
それにより、ホールド部材２７の先端に取り付けられている押圧部材２９は、その二つの押圧部２９ａ，２９ｂによって鉄片部材２４，２６の被押動部２４ａ，２６ａを押し、各々の図示していないばねの付勢力に抗して、先羽根用係止解除部材２３を反時計方向へ回転させ、後羽根用係止解除部材２５を時計方向へ回転させていく。また、その回転に伴って、二つの係止解除部材２３，２５の押動部２３ａ，２５ａが、上記の先羽根用係止部材１６と後羽根用係止部材１７の被押動部１６ｂ，１７ｂに対する押圧力を解いていく。
【００７１】
その結果、各々の図示していないばねの付勢力によって、先羽根用係止部材１６は反時計方向へ回転し、後羽根用係止部材１７は時計方向へ回転するので、上記の開閉駆動機構の作動説明で述べたように、それらの係止部１６ａ，１７ａが、二つの駆動部材１０，１２に形成されている被係止部１０ａ，１２ａの作動軌跡内に存在するようになる。そして、それらの係止部材１６，１７の回転は、それらの被押動部１６ｂ，１７ｂが上地板７の縁に当接することによって停止させられる。
【００７２】
ホールド部材２７は、その後も、押圧部材２９によって先羽根用係止解除部材２３と後羽根用係止解除部材２５を回転させていくと、やがて、鉄片部材２４，２６が、先羽根用電磁石１９と後羽根用電磁石２０の各々の鉄芯部材１９ａ，２０ａに接触する。そのため、先羽根用係止解除部材２３と後羽根用係止解除部材２５の回転は停止し、ホールド部材２７もそれ以上は反時計方向へ回転できなくなる。しかしながら、その後もホールド補助部材２８の被押動部２８ａが補助セット部材１８の押動部１８ａに押されるので、ホールド補助部材２８は、ホールド部材２７との間に掛けられた図示していない上記の第２のばねを緊張させながら僅かに回転させられたところで停止することになる。
【００７３】
他方、上記のように鉄片部材２４，２６が鉄芯部材１９ａ，２０ａに接触した後、レリーズレバー３０は、それまで、ホールド補助部材２８の被押動部２８ａによって阻止されていた回転を許されるようになり、図示していないばねの付勢力によって反時計方向へ回転させられ、その当接部３０ｃが上地板７の被当接部７ｋに当接して停止させられる。それによって、レリーズ部材３０の係止部３０ａが、ホールド補助部材２８の被押動部２８ａの作動軌跡内に入り込んで、ホールド補助部材２８の時計方向の回転を阻止し得る状態になる。補助セット部材１８の回転が停止して、係止解除機構がこのような状態になったときが、上記の開閉駆動機構のセット作動で説明したオーバーセット状態のときである。
【００７４】
このようなオーバーセット状態から、上記したように、レリーズ部材１３が初期位置へ復帰させられると、補助セット部材１８も時計方向へ回転させられるので、ホールド補助部材２８も、ホールド部材２７との間に掛けられた図示していない上記の第２のばねの付勢力によって時計方向へ回転させられるが、その回転は、僅かに回転したところで、ホールド補助部材２８の被押動部２８ａが、レリーズ部材３０の係止部３０ａに係止されて停止させられる。
【００７５】
そして、このときのホールド補助部材２８の回転は、ホールド部材２７との間に掛けられている図示していない第２のばねの付勢力が作用する範囲内であるから、ホールド部材２７は回転せず、押圧部材２９の押圧部２９ａ，２９ｂは、依然として鉄片部材２４，２６を鉄芯部材１９ａ，２０ａに接触させている。このような状態が、図６に示された係止解除機構のセット完了状態、即ち光学ファインダを用いて撮影を行うときの撮影待機状態である。
【００７６】
既に説明したように、本実施例のフォーカルプレンシャッタを備えたデジタルカメラは、光学ファインダを用いる撮影モードとモニタを用いる撮影モードのいずれか一方を選択する選択手段と、静止画撮影用のレリーズボタンと、動画撮影用のレリーズボタンとを備えているが、光学ファインダを用いる撮影が選択されている場合には、動画撮影用のレリーズボタンはロックされ、押せないようになっている。そのため、図５及び図６に示されたセット完了状態、即ち光学ファインダを用いる撮影モードが選択されているときの撮影待機状態においては、動画撮影用のレリーズボタンは押すことができない。また、光電センサ４７，４８は、カメラの電源をＯＮにしたときから通電されているので、セット完了状態では、いずれも、アーム３５，４１の遮光部３５ａ，４１ａによって光路を遮断され、Ｌ信号を出力している。
【００７７】
このような状態において、撮影者が、光学ファインダで被写体を観察しながら静止画像用のレリーズボタンを押すと、先ず、一方では、可動ミラーを跳ね上げて、撮影光路から退かせ、他方では、先羽根用電磁石１９のコイル１９ｂと後羽根用電磁石２０のコイル２０ｂに通電する。そのため、それまでは、単に鉄芯部材１９ａ，２０ａに接触させられていただけの鉄片部材２４，２６が、鉄芯部材１９ａ，２０ａに電磁力で吸着される。そこで次に、図示していないカメラ本体側の部材が、レリーズ部材３０の被押動部３０ｂを押すので、レリーズ部材３０は、図６において時計方向へ回転し、係止部３０ａによって行っていた、ホールド補助部材２８の係止を解く。
【００７８】
被押動部２８ａの係止を解かれたホールド補助部材２８は、図示していない上記の第２のばねの付勢力によって極めて僅かに回転した後、図示していない上記の第１のばねの付勢力によってホールド部材２７と共に時計方向へ回転する。このようにしてホールド部材２７が時計方向へ回転を開始すると、上記のように、鉄芯部材２４，２６が既に鉄芯部材１９ａ，２０ａによって吸着されているので、先羽根用係止解除部材２３と後羽根用係止解除部材２５とは、各々の図示していないばねの付勢力によって回転することができず、押圧部材２９の押圧部２９ａ，２９ｂが、鉄片部材２４，２６の被押動部２４ａ，２６ａから離れていく。そして、ホールド部材２７とホールド補助部材２８との時計方向の回転は、ホールド補助部材２８の被押動部２８ａが補助セット部材１８の押動部１８ａに当接することによって停止させられる。
【００７９】
このようにして、ホールド部材２７の回転は停止させられるが、そのとき、ホールド部材２７に取り付けられている押圧部材２９が、軸２７ａを中心にして大きく傾いて振動する。ところが、本実施例の場合には、カバー板８の折曲部８ａに、ゴム製の緩衝部材３４が取り付けられているので、押圧部材２９が傾くと、押圧部２９ａ，２９ｂのいずれかが緩衝部材３４に当接し、押圧部材２９の振動が早期に収まるようになっている。図７は、そのような傾きによって、押圧部材２９の押圧部２９ｂが緩衝部材３４に当接している状態を示したものである。また、その後、押圧部材２９が理想的な姿勢になって静止した状態が図８に示されている。
【００８０】
図８に示された状態が得られると、次に、先羽根用電磁石１９のコイル１９ｂに対する通電が断たれる。そのため、鉄片部材２４に対する吸着力が失われるので、先羽根用係止解除部材２３は、図示していない先羽根用解除ばねの付勢力によって時計方向へ回転させられ、その過程で、押動部２３ａが、先羽根用係止部材１６の被押動部１６ｂを押していく。そのため、先羽根用係止部材１６は、図示していないばねの付勢力に抗して時計方向へ回転させられ、それまで係止部１６ａによって係止していた先羽根用駆動部材１０の係止を解く。そして、その後における先羽根用係止解除部材２３の回転は、その押動部２３ａが先羽根用係止部材１６の被押動部１６ｂを、上地板７に形成されている孔７ｃの縁に押し付けることによって停止する。
【００８１】
ところで、本実施例においては、上記のように、ホールド部材２７が時計方向へ回転して停止したとき、押圧部材２９が大きく傾いて振動するので、それを早期に静止させるために緩衝部材３４を備えている。しかし、緩衝部材３４を備えていない場合には、ホールド部材２７の回転が停止した後も、押圧部材２９は、早期に静止できないため、その後、先羽根用電磁石１９のコイル１９ｂに対する通電が断たれて先羽根用係止解除部材２３が時計方向へ回転させられ、未だ先羽根用係止部材１６による先羽根用駆動部材１０の係止を解除する前に、鉄片部材２４の被押動部２４ａが、たまたま時計方向へ回転してきた押圧部材２９の押圧部２９ａに当接すると、それによって、先羽根用係止部材１６によって先羽根用駆動部材１０の係止を解くタイミングが、所定のタイミングよりも遅れてしまうことになる。
【００８２】
また、その場合、鉄片部材２４の被押圧部２４ａが、押圧部材２９の押圧部２９ａに当接するときには、押圧部材２９の傾き方が常に同じになっているとは限らないので、先羽根用駆動部材１０の係止を解除するタイミングのずれ方も、撮影ごとに異なってしまうことになる。そのため、先羽根用駆動部材１０の係止を解除するタイミングが一定せず、同じ状態にある被写体を複数枚撮影したときには、常に同じ露光状態の写真が得られず、いわゆる切りむらという事態が発生してしまう。
【００８３】
また、本実施例のように、緩衝部材３４を設けることなく、そのような事態が避けられるようにするためには、レリーズ部材３０がホールド補助部材２８の係止を解除してから、先羽根用電磁石１９のコイル１９ｂに対する通電を断つまでの時間を長くすればよいことになるが、そのようにすると、静止画像用のレリーズボタンを押してから実際に先羽根が露光作動を開始するまでの時間が長くなってしまい、被写体が動いていたりするとシャッタチャンスを逸してしまうおそれが大きくなる。本実施例の場合には、緩衝部材３４を設けることによって、それらのような事態が起きないようになっている。
【００８４】
上記のようにして、先羽根用係止解除部材２３が、先羽根用係止部材１６の係止部１６ａによる先羽根用駆動部材１０の被係止部１０ａの係止を解くと、先羽根用駆動部材１０は、図５の状態から、図示していない先羽根用駆動ばねの付勢力によって急速に時計方向へ回転させられる。そのため、先羽根の４枚の羽根３７〜４０は、隣接する羽根同士の重なりを大きくしつつ開口部１ａの下方へ作動し、スリット形成羽根４０の上端縁によって、開口部１ａを開いていく。そして、周知のように、被写体が暗い場合やフラッシュ撮影をする場合には、先羽根の４枚の羽根３７〜４０が開口部１ａを全開にしてから、二つの後羽根用駆動部材１１，１２が時計方向へ回転させられることになるが、本実施例の作動説明においては、被写体が明るく、しかもフラッシュを使用しないで撮影をする場合で説明する。
【００８５】
上記のようにして、先羽根用電磁石１９のコイル１９ｂに対する通電が断たれてから所定時間後に、後羽根用電磁石２０のコイル２０ｂに対する通電が断たれる。そのため、鉄片部材２６に対する吸着力が失われ、後羽根用係止解除部材２５は、図８の状態から、図示していない後羽根用解除ばねの付勢力によって反時計方向へ回転させられるが、その過程で、押動部２５ａが、後羽根用係止部材１７の被押動部１７ｂを押していく。それによって、後羽根用係止部材１７は、図示していないばねの付勢力に抗して反時計方向へ回転させられ、それまで係止部１７ａで係止していた後羽根用第２駆動部材１２の係止を解く。そして、その後の後羽根用係止解除部材２５の回転は、その押動部２５ａが後羽根用係止部材１７を、上地板７に形成されている折曲部７ｊに押し付けることによって停止する。
【００８６】
このようにして、後羽根用係止部材１７による係止が解かれると、後羽根用第２駆動部材１２は、図示していない後羽根用駆動ばねの付勢力によって、図５の状態から急速に時計方向へ回転させられるが、その初期段階において、窓部１２ｂの縁が後羽根用第１駆動部材１１の係合部１１ａを押すので、後羽根用第１駆動部材１１も時計方向へ回転を開始する。従って、それ以後は、二つの駆動部材１１，１２は、時計方向へ一体的に回転することになる。そして、後羽根用第１駆動部材１１が時計方向へ回転を開始すると、後羽根の４枚の羽根４３〜４６は、隣接する羽根同士の重なりを小さくしつつ開口部１ａ内へ作動してゆき、スリット形成羽根４６の下端縁によって、開口部１ａを上方から閉じていく。そのため、それ以後は、先羽根のスリット形成羽根４０と後羽根のスリット形成羽根４６の間に形成されたスリットにより、撮像素子の撮像面を上方から下方に向けて露光していく。
【００８７】
ところで、本実施例の場合には、中間板２の形状が従来とは異なっている。即ち、本実施例の中間板２は、既に説明したように、後羽根の４枚の羽根４３〜４６が重畳状態にさせられて格納される側の外形形成縁が、露光開口、即ち開口部１ａ側に向けて凸状となる円弧状をしている。そのため、図５に示されているセット完了状態においては、後羽根の４枚の羽根４３〜４６は、それらの羽根の長さ方向の略中央部において、中間板２との重なり幅が小さくなるようになっている。そこで、本実施例の中間板２が何故このような形状をしているのかを、ここで説明しておく。
【００８８】
周知のように、本実施例のように、シャッタ地板１と中間板２との間に先羽根が配置され、中間板２と補助地板３の間に後羽根が配置されている場合には、シャッタ地板１と中間板２の間は、先羽根の４枚の羽根３７〜４０が重畳状態になるところで最も大きな間隔を必要とするし、中間板２と補助地板３の間では、後羽根の４枚の羽根４３〜４６が重畳状態になるところで最も大きな間隔を必要とする。即ち、本実施例の場合には、シャッタ地板１と中間板２の間の羽根室は、開口部１ａの下方において最も大きな間隔を必要とするし、中間板２と補助地板３の間の羽根室は、開口部１ａの上方において最も大きな間隔を必要とする。
【００８９】
ところが、最近では、カメラの小型化に伴い、シャッタ地板１と補助地板３との間隔を少しでも小さくすることが要求されているため、重畳状態になっているときには、先羽根の４枚の羽根３７〜４０は、シャッタ地板１と中間板２とによって強く挟まれ、後羽根の４枚の羽根４３〜４６は、中間板２と補助地板３とによって強く挟まれるようになっている。そのため、先羽根の４枚の羽根３７〜４０の場合も、後羽根の４枚の羽根４３〜４６の場合も、重畳状態から展開状態に作動するときには、従来よりも大きな摩擦力に抗して作動を開始させる必要が生じている。
【００９０】
このような状況において、本実施例の場合には、先羽根の４枚の羽根３７〜４０が、重畳状態から展開状態に作動させられるのは、セット作動を行うときである。そのため、先羽根の場合は、その作動開始のタイミングが多少不安定になったとしても特に大きな問題は生じない。しかし、後羽根の４枚の羽根４３〜４６が、重畳状態から展開状態に作動するのは、露光作動を行うときである。そのため、その作動開始のタイミングが少しでも不安定になるのは大きな問題である。
【００９１】
そこで、本実施例の場合には、重畳状態における後羽根の羽根４３と中間板２との接触面積を、全体構成上からみて効率的に小さくするために、中間板２の外形形成縁を上記のような円弧状にしている。つまり、中間板２の上方両端の位置は、シャッタ地板１に対する取付けの都合や、その取付け部が羽根の作動に干渉しないようにするために、従来どおりにしており、その上で上端縁を円弧状にしたのは、羽根４１が作動を開始するとき、円滑に作動し少しでも左右方向の傾きが生じにくいように配慮したものである。尚、外形形成縁の形状は、重畳状態における後羽根の羽根４３と中間板２との接触面積を小さくすることができれば、本実施例のように円弧状でなくても、それ相当の効果が得られる。
【００９２】
ここで、先羽根と後羽根による露光作動の説明に戻る。本実施例における先羽根と後羽根は、上記のようにして、所定の間隔のスリットを形成して、撮像素子の撮像面を露光していくが、周知のように、その露光量は、撮像面のどの領域においても同じであることが要求される。ところが、シャッタユニットを製作するときには、所定の規格どおりに製作されていても、カメラ本体に組み込まれたときや、カメラの発売後においては、撮像面の露光量の分布が一定せず、露光むらを発生させてしまうことがある。そこで、本実施例のフォーカルプレンシャッタを備えたデジタルカメラにおいては、そのような事態が生じても、それを自動的に補正できるようになっている。
【００９３】
そこで、そのような補正を可能にするため、本実施例では、上記したように、シャッタ地板１に二つの光電センサ４７，４８が取り付けられており、先羽根のアーム３５には遮光部３５ａ，３５ｂが形成され、後羽根のアーム４１には遮光部４１ａ，４１ｂが形成されていて、先羽根と後羽根とによって形成されるスリットが、開口部１ａの上方領域にあるときと、真中の領域にあるときと、下方領域にあるときとの３箇所で、スリット幅を検出するようになっている。
【００９４】
そして、各領域でのスリット幅の検出は、上方領域の場合には、アーム３５の遮光部３５ａが光電センサ４７の光路から退いてから、アーム４１の遮光部４１ａが光電センサ４８の光路から退くまでの時間を検出し、真中の領域の場合には、アーム３５の遮光部３５ｂが光電センサ４７の光路を遮断してから、アーム４１の遮光部４１ｂが光電センサ４８の光路を遮断するまでの時間を検出し、下方領域の場合には、アーム３５の遮光部３５ｂが光電センサ４７の光路から退いてから、アーム４１の遮光部４１ｂが光電センサ４８の光路から退くまでの時間を検出することによって行なわれる。
【００９５】
尚、このようなスリット幅の検出結果による補正は、カメラ側の制御回路が後羽根用電磁石２０のコイル２０ｂに対する通電を遮断する時機を、電気的に微調整するようにして、次の撮影が適正露光で行われるようにしてもよいが、検出時に撮影した画像情報を、記憶装置からカメラ本体側の画像処理回路に呼び出して補正をし、その補正後の画像情報を記憶装置に記憶させるようにすることも可能である。
【００９６】
このようにして、先羽根の４枚の羽根３７〜４０と後羽根の４枚の羽根４３〜４６とが、それらのスリット形成羽根４０，４６の間にスリットを形成して下方へ移動していくが、先羽根の露光作動は、４枚の羽根３７〜４０が重畳状態になって開口１ａからその下方位置へ退いた直後に、先羽根用駆動部材１０の駆動ピン１０ｃが緩衝部材４に当接することによって停止され、後羽根の露光作動は、４枚の羽根４３〜４６が展開状態になって開口１ａを完全に閉鎖した直後に、後羽根用第１駆動部材１１の駆動ピン１１ｂが緩衝部材５に当接することによって停止させられる。その状態が、図１及び図２に示されている状態である。そして、既に説明したように、この状態で撮像情報が記憶装置に記憶された後、直ちにセット作動が行われるが、それと並行して、カメラ本体側に備えられている可動ミラーが撮影光路内に復帰する。
【００９７】
このように、撮影終了後は直ちにセット作動が行われるため、光学ファインダを用いる撮影モードからモニタを用いる撮影モードに切り換える場合には、撮影者は、図５及び図６に示されている、光学ファインダを用いる撮影モードでの撮影待機状態において、カメラに備えられている選択手段を操作することになる。そして、そのようにしてモニタを用いる撮影モードを選択した場合には、一方では、静止画撮影用のレリーズボタンのほかに、それまでロックされていた動画撮影用のレリーズボタンも押し得るようになり、撮影光路内に復帰していた可動ミラーを撮影光路外に退避させる。また、他方では、図５及び図６に示されている状態を、モニタを用いる撮影モードでのセット状態、即ち撮影待機状態にさせることになる。
【００９８】
そこで先ず、図５及び図６に示されている、光学ファインダを用いる撮影モードでの撮影待機状態を、モニタを用いる撮影モードでの撮影待機状態に切り換えるための作動を、新たに図１０〜図１３を用いて説明する。尚、図１３は、そのように、光学ファインダを用いる撮影モードでの撮影待機状態から、モニタを用いる撮影モードでの撮影待機状態に切り換えるときの作動を説明するだけのものではなく、モニタを用いる撮影モードにおいて、静止画像を撮影する場合の作動をも説明するためのタイミングチャートである。
【００９９】
既に説明したように、図６に示された、光学ファインダを用いる撮影モードでの撮影待機状態においては、二つの電磁石１９，２０のコイル１９ｂ，２０ｂには通電されていない。この状態で、カメラに備えられている選択手段を操作して、モニタを用いる撮影モードに切り換えると、電磁装置３３のコイル３３ｅに順方向の電流が供給される。そのため、永久磁石回転子３３ａは、図６の状態から時計方向へ回転させられ、抑止部材３３ｂを、後羽根用係止解除部材２５の作動軌跡内に臨ませていく。そして、抑止部材３３ｂが、図示していないストッパに当接することによって抑止可能位置で停止させられ、コイル３３ｅに対する通電の断たれた状態が、図１０に示された状態であるが、周知のように、この状態においては、コイル３３ｅに対する通電が断たれていても、永久磁石回転子３３ａの回転位置は、鉄ピン３３ｇとの位置関係によって維持されるようになっている。
【０１００】
この図１０に示された状態が得られると、その直後には、カメラ本体側の部材が、レリーズ部材３０を時計方向へ回転させる。それによって、既に説明したように、ホールド部材２７とホールド補助部材２８が時計方向へ回転する。ところが、このときには、上記したように、二つの電磁石１９，２０のコイル１９ｂ，２０ｂには通電されていない（図１３の記載では「遮断」）。そのため、ホールド部材２７が時計方向への回転を開始すると、それまで、押圧部材２９に押されて鉄片部材２４，２６を鉄芯部材１９ａ，２０ａに接触させられていた先羽根用係止解除部材２３と後羽根用係止解除部材２５とが、各々の図示していない解除ばねの付勢力によって回転を開始させられる。
【０１０１】
このとき、先羽根用係止解除部材２３の方は、押圧部材２９に追従して時計方向への回転を続け、やがて、押動部２３ａによって、先羽根用係止部材１６の被押動部１６ｂを押すようになるが、後羽根用係止解除部材２５の方は、直ちにその被抑止部２５ｂが抑止部材３１ｂに当接するので、回転を抑止されてしまい、押動部２５ａによって後羽根用係止部材１７の被押動部１６ｂを押すことができなくなってしまう。
【０１０２】
このように、先羽根用係止解除部材２３の方は、後羽根用係止解除部材２５が抑止部材３１ｂによって反時計方向へ回転するのを抑止された後も、ホールド部材２７に追従して回転していくため、押動部２３ａが被押動部１６ｂを押すことによって、先羽根用係止部材１６を時計方向へ回転させ、先羽根用駆動部材１０の係止を解除させる。そして、その直後に、先羽根用係止解除部材２３の回転は、押動部２３ａが被押動部１６ｂを、上地板７の孔７ｃの縁に押し付けることによって停止させられる。その状態が、図１１に示された、モニタを用いる撮影モードでの係止解除機構の撮影待機状態である。
【０１０３】
先羽根用駆動部材１０は、上記のようにして、先羽根用係止部材１６による係止を解除されると、既に説明したように、図示していない先羽根用駆動ばねの付勢力によって時計方向へ急速に回転させられる。そして、先羽根の４枚の羽根３７〜４０が開口部１ａを全開にした後、駆動ピン１０ｃが緩衝部材４に当接することによって停止させられる。図１２は、そのときの状態を示したものであって、この状態が、モニタを用いる撮影モードの場合における開閉駆動機構の撮影待機状態であり、モニタでの被写体像の観察が可能になる。
【０１０４】
尚、本実施例においては、光学ファインダを用いる撮影モードとモニタを用いる撮影モードとの切換えが行われるときと、モニタを用いる撮影モードでの撮影が行われるときには、光電センサ４７，４８の検出信号が変化するが、それらの検出信号は、すべて無視されるようになっている。このことから、カメラに備えられている選択手段によってモニタを用いる撮影モードが選択された場合には、光電センサ４７，４８に対する通電が自動的に断たれるようにしても構わない。
【０１０５】
そこで次に、このような撮影待機状態から静止画像を撮影する場合を説明する。その場合には、上記の光学ファインダを用いる撮影モードの場合と同様に、静止画撮影用のレリーズボタンを押すことになる。それによって、電子制御回路が、それまで撮像素子に蓄積されていた電荷を放出させ、新たに電荷の蓄積を開始させることによって撮影が開始する。そして、所定の時間が経過すると、図１１の状態において、電磁装置３３のコイル３３ｅに、逆方向の電流が供給される。そのため、永久磁石回転子３３ａは、反時計方向へ回転させられ、抑止部材３３ｂによる後羽根用係止解除部材２５の抑止を解く。そして、抑止部材３３ｂが、図示していないストッパに当接し、抑止不能位置に停止させられると、コイル３３ｅに対する通電が断たれる。
【０１０６】
他方、図１１の状態から、抑止部材３３ｂによる抑止を解かれた後羽根用係止解除部材２５は、図示していない後羽根用解除ばねの付勢力によって反時計方向へ回転させられ、押動部２５ａが、後羽根用係止部材１７の被押動部１７ｂを押すことによって、後羽根用係止部材１７による後羽根用第２駆動部材１２の係止を解く。その後の後羽根用係止解除部材２５の回転は、後羽根用係止部材１７が上地板７に形成されている折曲部７ｊに当接することによって停止させられる。そして、そのときにおける本実施例の係止解除機構は、図３に示された状態と同じになる。
【０１０７】
このようにして、後羽根用係止部材１７による係止が解かれると、後羽根用第２駆動部材１２は、図示していない後羽根用駆動ばねの付勢力によって、図１２の状態から急速に時計方向へ回転させられ、その初期段階において、窓部１２ｂの縁が後羽根用第１駆動部材１１の係合部１１ａを押すことによって、後羽根用第１駆動部材１１を時計方向へ回転させる。そのため、後羽根の４枚の羽根４３〜４６は、隣接する羽根同士の重なりを小さくしつつ開口部１ａを上方から閉じていく。そして、後羽根の４枚の羽根４３〜４６が開口部１ａを完全に閉鎖すると、後羽根用第１駆動部材１１と後羽根用第２駆動部材１２の回転は、駆動ピン１１ｂが緩衝部材５に当接することによって停止される。そのときにおける本実施例の開閉駆動機構は、図２に示された状態と同じになる。
【０１０８】
上記のようにして、本実施例の開閉駆動機構と係止解除機構とが、図２及び図３に示された状態になると、撮像情報が、撮像素子から画像処理回路を介して転送され、記憶装置に記憶された後、直ちにセット作動が行われる。そして、そのセット作動は、図５及び図６に示された状態になるまでは、上記の光学ファインダを用いた撮影モードの場合と全く同じである。そのため、その説明を省略するが、このモニタを用いた撮影モードの場合には、その図５及び図６に示された状態になってもセット作動が終了したことにはならず、その後もさらに続行されることになる。
【０１０９】
即ち、図５及び図６に示された状態になった後は、光学ファインダを用いた撮影モードからモニタを用いた撮影モードに切り換えるときに説明した作動と同様に、係止解除機構は、さらに、図６に示された状態から、図１０に示された状態を経て、図１１に示された状態になるまで作動させられることによって、モニタを用いた撮影モードでのセット作動が終了する。従って、このときには、開閉駆動機構の方も、図５に示された状態から図１２に示された状態に作動させられ、モニタによって撮影前における被写体像の観察が可能になる。
【０１１０】
次に、カメラに備えられている選択手段が、モニタを用いる撮影モードを選択しているときであって、動画撮影を行う場合の作動を、図１３の代わりに図１４のタイミングチャートを用いて説明する。尚、この図１４は、動画撮影を行う場合の作動だけを示したものではなく、図１３の場合と同様に、光学ファインダを用いる撮影モードでの撮影待機状態を、モニタを用いる撮影モードでの撮影待機状態に切り換える場合の作動も含めて示したものである。そして、その切換え作動は、既に説明したようにして行われるので、ここでは、その切換え作動の説明を省略する。
【０１１１】
また、動画撮影を行う場合の撮影待機状態は、モニタを用いる撮影モードで静止画像の撮影を行う場合の撮影待機状態と全く同じである。そのため、係止解除機構は図１１に示された状態になっていて、開閉駆動機構は図１２に示された状態になっており、モニタを用いて被写体像の観察が可能になっている。しかし、動画撮影を行う場合には、静止画像撮影用のレリーズボタンを押すのではなく、上記のように、選択手段によってモニタを用いる撮影モードが選択されたときにロックを解除されていた動画撮影用のレリーズボタンを押すことになる。
【０１１２】
図１１及び図１２に示された状態において、動画撮影用のレリーズボタンを押す（図１４の記載では「動画撮影用レリーズボタンＯＮ」）と、電子制御回路が、それまで撮像素子に蓄積されていた電荷を放出させ、新たに電荷の蓄積を開始させることによって動画撮影が開始し、動画撮影用のレリーズボタンを押している間は動画撮影が続行されることになる。そして、動画撮影用のレリーズボタンを離す（図１４の記載では「動画撮影用レリーズボタンＯＦＦ」）と、その信号で、電磁装置３３のコイル３３ｅに、逆方向の電流が供給され、永久磁石回転子３３ａは、図１１の状態から反時計方向へ回転させられ、抑止部材３３ｂによる後羽根用係止解除部材２５の抑止を解く。そのため、本実施例の係止解除機構は、後羽根用係止解除部材２５が、図示していない後羽根用解除ばねの付勢力によって反時計方向へ回転させられ、後羽根用係止部材１７による後羽根用第２駆動部材１２の係止を解くことによって、図３に示された状態になる。
【０１１３】
他方、図１２の状態において、後羽根用係止部材１７による後羽根用第２駆動部材１２の係止が解かれると、既に説明したようにして、後羽根用第２駆動部材１２は、後羽根用第１駆動部材１１を伴って時計方向へ回転させられ、後羽根の４枚の羽根４３〜４６に開口部１ａを閉じさせる。そして、後羽根の４枚の羽根４３〜４６が開口部１ａを完全に閉鎖すると、後羽根用第１駆動部材１１と後羽根用第２駆動部材１２の回転は、駆動ピン１１ｂが緩衝部材５に当接することによって停止させられる。そのとき、本実施例の開閉駆動機構は、図２に示された状態になる。
【０１１４】
このようにして、図２及び図３に示された状態になると、本実施例の開閉駆動機構と係止解除機構とは、既に説明した、モニタを用いる撮影モードでの静止画撮影におけるセット作動の場合と同様にしてセット作動を行わされ、図１１及び図１２に示された撮影待機状態に復帰させられる。従って、この動画撮影後のセット完了状態、即ち次の撮影待機状態は、モニタを用いる撮影モードでの撮影待機状態であるため、次の撮影に際して、静止画撮影用のレリーズボタンを押せば、静止画撮影が行われ、動画撮影用のレリーズボタンを押せば、動画撮影が行われることになる。
【０１１５】
尚、上記の動画撮影の作動説明は、動画撮影を終了するに際して、動画撮影用のレリーズボタンを離したときに、その信号で、電磁装置３３のコイル３３ｅに逆方向の電流が供給され、抑止部材３３ｂによる後羽根用係止解除部材２５の抑止を解くことによって、次の撮影待機状態になるまでの一連のセット作動が行われる場合で説明した。しかしながら、この動画撮影を行った場合には、上記のような静止画撮影の場合と同じようなセット作動を行わせず、動画撮影用のレリーズボタンを離しただけで、次の撮影待機状態とすることも可能である。
【０１１６】
最後に、図１１及び図１２に示されている、モニタを用いる撮影モードでの撮影待機状態を、光学ファインダを用いる撮影モードでの撮影待機状態に切り換える場合について説明する。カメラに備えられている選択手段を操作して、光学ファインダを用いる撮影モードに切り換えると、図１１の状態において、電磁装置３３のコイル３３ｅに、逆方向の電流が供給され、永久磁石回転子３３ａが、反時計方向へ回転させられる。それによって、抑止部材３３ｂが、後羽根用係止解除部材２５の抑止を解き、抑止不能位置において図示していないストッパに当接すると、コイル３３ｅに対する通電が断たれる。
【０１１７】
そして、図１１の状態から、抑止部材３３ｂによる抑止を解かれた後羽根用係止解除部材２５は、図示していない後羽根用解除ばねの付勢力によって反時計方向へ回転させられ、押動部２５ａが、後羽根用係止部材１７の被押動部１７ｂを押すことによって、後羽根用係止部材１７による後羽根用第２駆動部材１２の係止を解く。その後、後羽根用係止解除部材２５の回転は、後羽根用係止部材１７が上地板７に形成されている折曲部７ｊに当接することによって停止させられる。そのときにおける本実施例の係止解除機構は、図３に示された状態と同じになる。
【０１１８】
他方、後羽根用係止部材１７による係止が解かれると、後羽根用第２駆動部材１２は、図示していない後羽根用駆動ばねの付勢力によって、図１２の状態から急速に時計方向へ回転させられ、後羽根用第１駆動部材１１を時計方向へ回転させる。そのため、後羽根の４枚の羽根４３〜４６は、隣接する羽根同士の重なりを小さくしつつ開口部１ａを上方から閉じていく。そして、後羽根の４枚の羽根４３〜４６が開口部１ａを完全に閉鎖すると、後羽根用第１駆動部材１１と後羽根用第２駆動部材１２の回転は、駆動ピン１１ｂが緩衝部材５に当接することによって停止される。そのときにおける本実施例の開閉駆動機構は、図２に示された状態と同じになる。
【０１１９】
このようにして、開閉駆動機構と係止解除機構とが、図２及び図３に示された状態になると、直ちに、既に説明した光学ファインダを用いる撮影モードにおけるセット作動と全く同じ作動が行われる。そして、その作動は、図５及び図６に示された状態になって停止する。従って、その状態が、次に行われる、光学ファインダを用いる撮影モードでの撮影待機状態ということになる。そしてまた、このときには、動画撮影用のレリーズボタンは、ロック状態にさせられる。
【０１２０】
尚、本実施例の場合には、カメラに備えられている選択手段によって、モニタを用いる撮影モードに切り換えたときには、静止画撮影と動画撮影のいずれかを選択して撮影できるようにしているが、本発明は、そのようにすることに限定されず、いずれか一方だけの撮影しかできないようにしても構わない。
【０１２１】
また、本実施例の電磁装置３３は、上記のように、永久磁石回転子３３ａを有していて、その永久磁石回転子３３ａに抑止部材３３ｂを一体化している。そして、その永久磁石回転子３３ａは、本発明の可動子に相当し、抑止部材３３ｂは本発明の抑止手段に相当するものである。しかしながら、本発明の電磁装置と抑止手段とは、このような構成に限定されるものではない。例えば、本実施例の抑止部材３３ｂを永久磁石回転子３３ａとは別体の部材として上地板７に回転可能に取り付けておき、永久磁石回転子３３ａの出力手段である出力ピンや出力歯車によって往復回転させるように構成してもよい。
【０１２２】
また、本発明の電磁装置は、永久磁石回転子を可動子とするステッピングモータであっても差し支えない。その場合、抑止手段は、本実施例のように、その永久磁石回転子と一体化することが好ましいが、上記のように別体の部材とし、その永久磁石回転子の出力手段によって往復回転させるようにしてもよい。また、そのように、本発明の電磁装置をステッピングモータとした場合には、抑止手段の回転を停止させるためのストッパを設けなくても済む場合がある。
【０１２３】
更に、本発明の電磁装置は、ソレノイドの中で往復作動させられる棒状の鉄芯部材を可動子とした電磁プランジャであっても差し支えない。その場合にも、抑止手段は、鉄芯部材と一体化しておき、後羽根用係止解除手段の作動軌跡内に進退させるようにすることが好ましいが、上記のように別体の部材とし、鉄芯部材によって往復回転させるようにしてもよい。
【符号の説明】
【０１２４】
１                              シャッタ地板
１ａ，２ａ，３ａ                開口部
１ｂ，１ｃ，１８ｂ              長孔
１ｄ〜１ｆ，７ａ                柱
１ｇ〜１ｋ，１ｍ，１ｎ，１ｐ，７ｂ，７ｄ，７ｅ，７ｍ，７ｎ，１４ｂ，２７ａ  軸
２                              中間板
２ｂ                            外形形成縁
３                              補助地板
４，５，９，３４                緩衝部材
６，２１，２２，３１，３２      ねじ
７                              上地板
７ｃ                            孔
７ｆ〜７ｈ，７ｊ，８ａ          折曲部
７ｉ，１２ｂ                    窓部
７ｋ                            被当接部
７ｐ，７ｑ                      位置決めピン
８                              カバー板
１０                            先羽根用駆動部材
１０ａ，１２ａ                  被係止部
１０ｂ，１２ｃ，１３ａ，１３ｂ，１４ａ  ローラ
１０ｃ，１１ｂ                  駆動ピン
１１                            後羽根用第１駆動部材
１１ａ                          係合部
１２                            後羽根用第２駆動部材
１３                            セット部材
１４                            セット操作部材
１５                            リンク部材
１５ａ                          ピン
１６                            先羽根用係止部材
１６ａ，１７ａ，３０ａ          係止部
１６ｂ，１７ｂ，２４ａ，２６ａ，２８ａ，３０ｂ  被押動部
１７                            後羽根用係止部材
１８                            補助セット部材
１８ａ，２３ａ，２５ａ          押動部
１８ｃ                          逃げ孔
１９                            先羽根用電磁石
１９ａ，２０ａ                  鉄芯部材
１９ｂ，２０ｂ，３３ｅ          コイル
１９ｃ，２０ｃ                  ボビン
２０                            後羽根用電磁石
２３                            先羽根用係止解除部材
２４，２６                      鉄片部材
２５                            後羽根用係止解除部材
２５ｂ                          被抑止部
２７                            ホールド部材
２８                            ホールド補助部材
２９                            押圧部材
２９ａ，２９ｂ                  押圧部
３０                            レリーズ部材
３０ｃ                          当接部
３３                            電磁装置
３３ａ                          永久磁石回転子
３３ｂ                          抑止部材
３３ｃ                          第１固定子枠
３３ｄ                          第２固定子枠
３３ｆ                          ヨーク
３３ｇ                          鉄ピン（磁性体棒）
３５，３６，４１，４２          アーム
３５ａ，３５ｂ，４１ａ，４１ｂ  遮光部
３７〜４０，４３〜４６          羽根
４７，４８                      光電センサ
【図１】
0005641852.tif 000002
【図２】
0005641852.tif 000003
【図３】
0005641852.tif 000004
【図４】
0005641852.tif 000005
【図５】
0005641852.tif 000006
【図６】
0005641852.tif 000007
【図７】
0005641852.tif 000008
【図８】
0005641852.tif 000009
【図９】
0005641852.tif 000010
【図１０】
0005641852.tif 000011
【図１１】
0005641852.tif 000012
【図１２】
0005641852.tif 000013
【図１３】
0005641852.tif 000014
【図１４】
0005641852.tif 000015